(57)【要約】  メディアコミュニティのメンバーは、コンテンツを共有し、そこにおいてコミュニティの各メンバーは、プロファイルおよび携帯メディア機器に関連付けられる。プロファイルの一部分が使用されて、メンバーがメディアコミュニティと対話することを可能にする１つまたは複数のアクション可能な要素を含む、メディアカードを作成する。メディアカードは、携帯型メディアプレーヤーのメモリー領域に埋め込むことができ、メディアコミュニティの１人または複数の他のメンバーによりアクセス可能である。タグを利用して、メンバーは、プレイリストを作成し、コミュニティの他のメンバーとプレイリストを共有することができる。また、メディアコミュニティのメンバーは、他のメンバーのメディアカードを備えるフレンドリストを作成し、メディアカードに関連付けられる他のメンバーと対話することを可能にする。
2010507144.tif 000002
【特許請求の範囲】
【請求項１】
メディアコミュニティ（３００）のメンバー間でコンテンツを共有する方法であって、
前記メディアコミュニティ（３００）の第１のメンバーのプロファイルを作成するステップ（４０２）であって、前記第１のメンバーが第１の携帯型メディアプレーヤー（１００）に関連付けられるステップと、
第１のメディアカード（１０２）を利用して前記プロファイルの少なくとも一部を識別するステップ（４０４）であって、前記第１のメディアカード（１０２）が、前記第１のメンバーの自称の識別を表し、および１つまたは複数のアクション可能な要素（１１２）を含み、前記アクション可能な要素（１１２）が、前記メディアコミュニティ（３００）との対話を可能にするステップと、
前記第１のメディアカード（１０２）を前記第１の携帯型メディアプレーヤー（１００）のメモリー領域（１１６）に埋め込むステップ（４０６）であって、前記メモリー領域が、前記メディアコミュニティ（３００）の１人または複数の他のメンバーによりアクセス可能であるステップと
を備えることを特徴とする方法。
【請求項２】
前記第１のメンバーの前記プロファイルにフレンドリストを作成するステップであって、前記フレンドリストが前記メディアコミュニティの他のメンバーに関連付けられる１つまたは複数のエントリーを含むステップを、さらに備えることを特徴とする請求項１に記載の方法。
【請求項３】
前記フレンドリストの少なくとも１つのエントリーは、前記メディアコミュニティの第２のメンバーのプロファイルの少なくとも一部を識別する第２のメディアカードを備え、前記第２のメディアカードが、前記メディアコミュニティとの対話を可能にする少なくとも１つの前記アクション可能な要素を含むことを特徴とする請求項２に記載の方法。
【請求項４】
前記第２のメディアカードは、前記第２のメンバーに関連付けられる第２の携帯型メディアプレーヤーのメモリー領域に埋め込まれ、前記第２のメンバーのプロファイルが前記第２の携帯型メディアプレーヤーを介して修正されるのに応答して、前記フレンドリストの前記第２のメディアカードを自動的に更新するステップをさらに備えることを特徴とする請求項３に記載の方法。
【請求項５】
前記第１のメンバーの前記プロファイルは、１つまたは複数のメディアファイルのリストを含み、
前記第１の携帯型メディアプレーヤーを介して、前記フレンドリストの前記メディアコミュニティの第２のメンバーと共有する少なくとも１つのメディアファイルの選択を受け取るステップと、
前記第２のメンバーに関連付けられる第２の携帯型メディアプレーヤーが、前記選択されたメディアファイルを前記選択に応答してレンダリングすることを可能にするステップと
をさらに備えることを特徴とする請求項２に記載の方法。
【請求項６】
前記第１の携帯型メディアプレーヤーは、共有するメディアファイルの選択を受け取るドラッグ・アンド・ドロップ・インターフェースを有し、前記第１のメンバーが、前記メディアファイルを選択して前記第２のメンバーの前記フレンドリストのエントリーにドラッグする、または前記第１のメンバーが、前記第２のメンバーの前記フレンドリストのエントリーを選択して前記メディアファイルにドラッグすることを特徴とする請求項５に記載の方法。
【請求項７】
前記第１のメディアカードの前記アクション可能な要素は、以下、すなわち、電子メールを前記第１のメンバーに送信すること、メディア推薦を前記第１のメンバーに送信すること、インスタントメッセージを前記第１のメンバーに送信すること、前記第１のメンバーに関連付けられるメディアファイルをレンダリングすること、メディアファイルを前記第１のメンバーに関連する前記第１の携帯型メディアプレーヤーに送信すること、および前記第１のメンバーの詳細なプロファイルを見ること、の１つまたは複数を可能にすることを特徴とする請求項１に記載の方法。
【請求項８】
プレイリストを作成するステップであって、前記プレイリストが前記第１の携帯型メディアプレーヤーの前記メモリー領域に格納される１つまたは複数のメディアファイルを参照するステップと、
前記プレイリストを、前記第１のメンバーの前記プロファイルの前記第１のメディアカードの前記アクション可能な要素に関連付けるステップと、
前記第１のメディアカードを前記メディアコミュニティの第２のメンバーに提供するステップであって、前記第２のメンバーが、第２の携帯型メディアプレーヤーに関連付けられ、前記提供される第１のメディアカードの前記アクション可能な要素が、前記第２のメンバーが前記プレイリストにおいて参照される前記１つまたは複数のメディアファイルを前記第２の携帯型メディアプレーヤー上でレンダリングすることを可能にするステップと
をさらに備えることを特徴とする請求項１に記載の方法。
【請求項９】
前記第１のメンバーが前記プレイリストを修正するのに応答して、前記第２のメンバーに提供される前記第１のメディアカードの前記アクション可能な要素を自動的に更新するステップであって、前記更新される第１のメディアカードが、前記第２のメンバーが前記修正されたプレイリストにおいて参照される前記メディアファイルを前記第２の携帯型メディアプレーヤー上でレンダリングすることを可能にするステップをさらに備えることを特徴とする請求項８に記載の方法。
【請求項１０】
前記第１のメディアカードを前記第２のメンバーに提供するステップは、前記第１のメディアカードを、以下、すなわち電子メールメッセージおよびウェブページの１つまたは複数に埋め込むステップを備えることを特徴とする請求項８に記載の方法。
【請求項１１】
前記プロファイルは、以下、すなわち、メンバーのタグ、画像、好みのメディアのジャンル、メディアモットー、メディアストリップ、メンバー識別子、最新プロファイル変更のタイムスタンプ、好みのメディアプレイリスト、最多再生トラックリスト、メディアの選好、メディア賞、個人のプレイリスト、互換性インジケーター、ファンリスト、賞のトロフィーケース、メディア消費の個人履歴、ピア（peer）履歴、ユーザーのメディア賞に基づくメンバーのメディアスコア、プレゼンスステータス、メンバーの心的状態、ユーザーの居場所、メンバーが出席したことがあるまたは出席予定のイベント、および第１のメディアカードに関連付けられる詳細なプロファイルが見られた回数のカウント、の１つまたは複数を含むことを特徴とする請求項１に記載の方法。
【請求項１２】
前記第１のメディアカードは、以下、すなわち、メンバーのタグ、画像、好みのメディアのジャンル、メディアモットー、メディアストリップ、およびメンバー識別子、の１つまたは複数を含むことを特徴とする請求項１に記載の方法。
【請求項１３】
前記メディアコミュニティのメンバー間の対話に関連付けられる、１つまたは複数のメディア賞を定義するステップと、
前記第１のメンバーの前記メディアコミュニティとの対話を、前記第１のメンバーの前記プロファイルに追跡記録するステップと、
前記第１のメンバーに前記追跡記録された対話の関数として、メディア賞を授与するステップであって、前記メディア賞が、前記第１のメンバーの前記プロファイルに関連付けられるステップと
をさらに備えることを特徴とする請求項１に記載の方法。
【請求項１４】
メディアコミュニティ（３００）のメンバーにメディア賞を授与する方法であって、
前記メディアコミュニティ（３００）内の対話に関連付けられるメディア賞を定義するステップ（５０２）と、
携帯型メディアプレーヤー（１００）を介した第１のメンバーの前記メディアコミュニティ（３００）との対話を追跡記録し（５０４）、前記追跡記録された対話を前記第１のメンバーに関連付けられるプロファイルに記録するステップと、
前記第１のメンバーの前記追跡記録された対話の関数として、前記第１のメンバーに前記メディア賞を授与するステップ（５０６）と、
前記授与されたメディア賞の通知を掲載するステップ（５１０）であって、前記通知が、前記メディアコミュニティ（３００）のメンバーがアクセス可能であり、前記通知が前記第１のメンバーに関連付けられる前記プロファイルからの情報を含むステップと
を備えることを特徴とする方法。
【請求項１５】
前記メディア賞は、以下、すなわち、前記メディアコミュニティに関連付けられる携帯型メディアプレーヤーを所有すること、メディアライブラリを前記メディアコミュニティと互換性のあるフォーマットに変換すること、前記メディアコミュニティにおけるメンバーシップを別の人に薦めること、１つまたは複数のメディアのレビューを書くこと、前記コミュニティの別のメンバーにメディアをストリーミングすること、前記コミュニティの別のメンバーとメディアを共有すること、前記メディアコミュニティの他のメンバーのためにディスクジョッキーセッションを主催すること、強力なファンであること、ジャンルの熱狂的なファンであること、携帯メディア機器のメディアを評価すること、オーディオファンであること、映画ファンであること、音楽評論家であること、映画評論家であること、独立系放送番組供給を使用してメディアファイルを配給すること、および、メディアコミュニティの優良な市民であること、の少なくとも１つを備えることを特徴とする請求項１４に記載の方法。
【請求項１６】
前記メディア賞は、ダイナミック賞を含み、前記ダイナミック賞が前記第１のメンバーに１つまたは複数の基準を維持することを要求し、前記第１のメンバーが前記メディア賞の基準を維持する限り前記ダイナミック賞は前記第１のメンバーの前記プロファイルに関連付けられることを特徴とする請求項１４に記載の方法。
【請求項１７】
第１のメディアカードを利用して前記プロファイルの少なくとも一部を識別するステップであって、前記第１のメディアカードが、前記第１のメンバーの自称の識別を表し、および１つまたは複数のアクション可能な要素を含み、前記アクション可能な要素が、前記メディアコミュニティとの対話を可能にするステップと、
前記第１のメンバーの授与されたメディア賞を前記第１のメディアカードに関連付けるステップと、
前記第１のメディアカードを前記携帯型メディアプレーヤーのメモリー領域に埋め込むステップであって、前記メモリー領域が、前記メディアコミュニティの１人または複数の他のメンバーによりアクセス可能であるステップと
をさらに備えることを特徴とする請求項１４に記載の方法。
【請求項１８】
前記追跡記録された対話の関数として、前記メディアコミュニティの前記第１のメンバーに友人を推薦するステップであって、前記友人が、前記メディアコミュニティの第２のメンバーの第２のメディアカードに関連付けられるステップをさらに備え、および、前記第１のメンバーの前記プロファイル内にフレンドリストを作成するステップであって、前記フレンドリストが前記第２のメディアカードを含むステップをさらに備えることを特徴とする請求項１７に記載の方法。
【請求項１９】
前記追跡記録された対話の関数として、前記メディアコミュニティの前記第１のメンバーにメディアファイルを推薦するステップと、
前記第１のメンバーに、前記メディアファイルを前記携帯型メディアプレーヤーに追加することを要求するステップと
をさらに備えることを特徴とする請求項１４に記載の方法。
【請求項２０】
メディアコミュニティ（３００）のメンバー間でコンテンツを共有するシステムであって、
メディアメンバーシップコンポーネント（６０２）であって、
前記メディアコミュニティ（３００）の第１のメンバーのプロファイルを作成し、前記第１のメンバーが第１の携帯型メディアプレーヤー（１００）に関連付けられ、前記プロファイルが前記メディアコミュニティ（１００）の前記第１のメンバーを表す、
第１のメディアカード（１０２）を利用して前記プロファイルの少なくとも一部を識別し、前記第１のメディアカード（１０２）が、前記第１のメンバーの自称の識別を表し、および１つまたは複数のアクション可能な要素（１１２）を含み、前記アクション可能な要素（１１２）が、前記メディアコミュニティ（３００）との対話を可能にする、
前記第１のメディアカード（１０２）を前記第１の携帯型メディアプレーヤー（１００）のメモリー領域（１１６）に埋め込み、前記メモリー領域（１１６）が、前記メディアコミュニティ（３００）の１人または複数の他のメンバーによりアクセス可能である
コンポーネントと、
インターフェースコンポーネント（６０４）であって、
プレイリストを作成し、前記プレイリストが前記第１の携帯型メディアプレーヤー（１００）の前記メモリー領域に格納される、少なくとも１つのメディアファイル（１０６Ａ、１０６Ｂ、１０６Ｃ）を参照する、
前記プレイリストを、前記第１のメンバーの前記プロファイルの前記第１のメディアカード（１０２）の前記アクション可能な要素（１１２）に関連付ける、
前記第１のメディアカード（１０２）を、前記メディアコミュニティ（３００）の第２のメンバーに提供し、前記第２のメンバーが第２の携帯型メディアプレーヤーに関連付けられ、前記提供された第１のメディアカード（１０２）の前記アクション可能な要素（１１２）は、前記第２のメンバーが前記プレイリストに参照される前記メディアファイル（１０６Ａ、１０６Ｂ、１０６Ｃ）を前記第２の携帯型メディアプレーヤー上でレンダリングすることを可能にする
コンポーネントと、
メディア賞コンポーネント（６０６）であって、
前記メディアコミュニティ（３００）内の対話に関連付けられるメディア賞（３０８Ａ、３０８Ｂ、３０８Ｃ）を定義し、
前記携帯型メディアプレーヤー（１００）を介して前記第１のメンバーの前記メディアコミュニティ（３００）との対話を追跡記録し、前記対話を前記第１のメンバーの前記プロファイルに記録する、
前記第１のメンバーの前記追跡記録された対話の関数として、前記メディア賞を前記第１のメンバーに授与する、
前記第１のメンバーの前記授与されたメディア賞（３０８Ａ、３０８Ｂ、３０８Ｃ）を前記第１のメディアカード（１０２）に関連付ける
コンポーネントと
を備えたことを特徴とするシステム。
【発明の詳細な説明】
【技術分野】
【０００１】
本発明は、コミュニティ対話のためのプロファイルのビジュアル表現に関する。
【背景技術】
【０００２】
ユーザーは、携帯型メディアプレーヤーを含む様々な機器上のオーディオ、ビデオ、および画像などのデジタルメディアコンテンツを消費する。しばしば、ユーザーは、１つまたは複数のメディアコミュニティに参加して、メディアを共有し、新しいメディアを発見し、メディアコミュニティの他のメンバーと対話する。メディアコミュニティは、メンバーにとって重要であるが、それはメディアコミュニティが、友人、家族、好みのアーティスト、メディアコミュニティでの対話を通じてできた新しい友人などとのつながりまたは一体感を提供するからである。加えて、メディアコミュニティは、しばしばメディアコミュニティにおけるメンバーの個性、貢献、および成果を認識させ、メンバーの意見、好み、希望などに関する自身の表現のためのフォーラムを提供する。
【０００３】
典型的には、携帯型メディアプレーヤーのユーザーは、最初に携帯型メディアプレーヤーをパーソナルコンピューター機器と同期させ、メディアを共有するか、または新しいメディアを発見しなければならない。さらに、パーソナルコンピューター機器は、連絡先を管理し既存のメディアコミュニティと対話するために必要とされる。既存のシステムは、携帯型メディアプレーヤーのユーザーが直接友人と対話し、メディアコミュニティと対話し、メディアを共有し、新しいメディアを発見することを可能にする機構を提供できない。
【発明の概要】
【０００４】
本発明の実施形態は、メディアコミュニティのメンバーが素早く効率的に他のメンバーと直接対話することを可能にすることにより、既知のメディアコミュニティにおける１つまたは複数の欠陥を克服する。本発明の態様を具現化する携帯型メディアプレーヤーは、メディアコミュニティのメンバーが直接別のメンバーと対話し、メディアを発見および共有することなどを可能にする、娯楽とソーシャルネットワーキングとが結合したサービスを提供する。例えば、本発明の態様は、そのようなメディアプレーヤー機器のユーザーが、友人およびコミュニティの他のメンバーをブラウズし、コミュニティのメンバーに関連付けられるプロファイルの詳細を調べることにより新しいコンテンツを発見し、コミュニティ内でメッセージおよび推薦状を送り、他のメンバーのプレイリストに自動的に同期し、またはコミュニティ内で直接対話することを可能にする。
【０００５】
一態様において、プロファイルは、メディアコミュニティのメンバーに関するさまざまな詳細を含む。メンバーのプロファイルに関連付けられるメディアカードは、そのメンバーの携帯型メディアプレーヤーに埋め込み、メディアコミュニティの他のメンバーによってアクセスすることができる。メディアカードは、メディアコミュニティとの対話を可能にする、１つまたは複数のアクション可能な要素を有利に含む。
【０００６】
別の態様において、本発明は、メディアコミュニティとの対話の関数として、メディア賞（media  achievement）をメディアコミュニティのメンバーに授与する。メディアコミュニティのメンバーシップを構築する、メディアコミュニティと対話する、およびメディア賞を授与する構成要素が、さらなる本発明の態様を具現化する。あるいは、本発明の実施形態は、さまざまな他の方法および装置を備えることができる。
【０００７】
この概要は、以下の詳細な説明でさらに述べる概念の抜粋を簡略化した形式で紹介するために提供される。この概要は、請求項に記載されている主題事項の重要な特徴または主要な特徴を特定することを意図していない。また、請求項に記載されている主題事項の範囲を決定する補助として使用されることを意図してもいない。
【０００８】
他の特徴は、以下において一部は明らかになり、一部は指摘されるであろう。
【図面の簡単な説明】
【０００９】
【図１】本発明の実施形態による携帯型メディアプレーヤーを示す例示のブロック図である。
【図２】図１のメディアプレーヤーと共に使用されるメディアカードを示す例示のブロック図である。
【図３】図１のメディアプレーヤーを含むメディアコミュニティを示す例示のブロック図である。
【図４】図２のメディアカードをメディアコミュニティのメンバーのために作成する本発明の態様を具体化する例示のフローチャートである。
【図５】メディアコミュニティのメンバーへメディア賞を授与する本発明のさらなる態様を具体化する例示のフローチャートである。
【図６】本発明の態様を格納することができる例示のコンピューター読み取り可能な媒体を示すブロック図である。
【００１０】
図面全体を通して、対応する参照符号は対応する部分を示す。
【発明を実施するための形態】
【００１１】
ここで、図面を参照すると、本発明の実施形態は、図１に例示される携帯型メディアプレーヤー１００を含む。携帯型メディアプレーヤー１００は、１つまたは複数のメディアのフォーマットでファイルを格納および再生することができる電子機器である。このようなメディアプレーヤーは、多くの場合、多用途であり、異なるフォーマットの映像、画像、および録画されたテレビを、ロードおよび再生することができる。当業者は、さまざまなフォーマットでメディアコンテンツをレンダリングすることができるメディアプレーヤー機器には精通している。メディアフォーマットの例には次のものが含まれる。ＭＰＥＧ（Moving Picture Experts Group）、ＤｉｖＸ、ＸｖｉＤ、ＭＰ３（ＭＰＥＧ−１ Audio Layer ３）、ＷＡＶ（Waveform audio format）、Ｏｇｇ  Ｖｏｒｂｉｓ（オッグボルビス）、ＪＰＥＧ（Joint Photographic Experts Group）、ＷＭＡ（Windows（登録商標） Media Audio）、ＷＭＶ（Windows（登録商標） Media Video）、ＡＳＦ（Advanced Systems FormatまたはAdvanced Streaming Format）、およびＧＩＦ（Graphics Interchange Format）。携帯型メディアプレーヤー１００など、携帯型メディアプレーヤーはまた、映像および音声を記録する能力を含むことができる。加えて、幾つかの携帯型メディアプレーヤーは、データの格納および転送のために、取り外し可能な媒体のためのカードリーダを含む。取り外し可能な媒体の例には、ＳＤ（Secure Digital）およびＭＭＣ（MultiMediaCard）が含まれる。携帯型メディアプレーヤーはまた、マルディメディアファイル以外のファイル、例えば、データファイル、コンピュータープログラム、ゲームファイル、文書処理ファイル、およびテキストファイルなど、を格納することができる。
【００１２】
図１に図示される携帯型メディアプレーヤー１００は、メディアカード１０２、メディア格納領域１０４、およびフレンドリスト１０８を有し、ユーザーにはユーザーインターフェース１１４を介して全てアクセス可能である。本発明の実施形態が携帯型メディアプレーヤー１００を使用して示されるが、メディアコミュニティのメンバーは、メディアカード１０２を作成し、ＰＣクライアント、および、電話、ゲーム機などの他の機器を含むがこれに限定されないさまざまな機器を利用して、メディアコミュニティと対話することができることが企図されている。本発明の態様によると、メディアコミュニティ３００（図３参照）のメンバーに関連付けられるプロファイルは、メンバーに関するさまざまな詳細を含む。本発明の態様によると、メディアカード１０２は、例えば、メディアコミュニティ３００内での対話に使用するプロファイルからの、自称の識別情報およびシステム由来の識別情報を含む、プロファイルのビジュアル表現である。
【００１３】
一実施形態において、プロファイルは、１つまたは複数の以下のパラメーターを含む。メンバーのタグ（例えば、ニックネーム）、画像、好みのメディアのジャンル、メディアモットー、メディアストリップ、メンバー識別子、最新プロファイル変更のタイムスタンプ、好みのメディアプレイリスト、最多再生トラックリスト、メディアの選好、メディア賞、個人のプレイリスト、互換性インジケーター、ファンリスト、賞のトロフィーケース、メディア消費の個人履歴、ピア（peer）履歴、メンバーのメディア賞に基づくメンバーのメディアスコア、プレゼンスステータス（例えば、オンライン、オフライン、離れている）、メンバーの心的状態（例えば、幸せ、悲しい）、ユーザーの居場所（例えば、家、学校、仕事場、クラブ）、メンバーが出席しているまたは出席予定のイベント、および、最初のタグに関連付けられる詳細なプロファイルが見られた回数のカウント。メンバーは、自分のプライバシー設定を調節して、プロファイルのパラメーターを制御しメディアコミュニティ３００の他のメンバーに不本意に露出されないようにする能力を有する。例えば、ユーザーインターフェース１１４は、１つまたは複数のプロファイルのパラメーターを、全員、友人のみ、に示す、または誰にも示さないというオプションをメンバーに提示する。代替の実施形態において、メンバーは、特定の識別情報を選択してメディアカード１０２に含ませることができる。
【００１４】
メンバープロファイルは、コミュニティの他のメンバーのプロファイルと一緒にメディアコミュニティ３００に関連付けられる場所に格納することができる。例えば、メディアコミュニティ３００は、プロファイルを格納し公表するインターネットなどのデータ通信ネットワークを介してアクセス可能なサーバーコンピューター（図示せず）を運営する。メンバーが、パーソナルコンピューター、携帯型メディアプレーヤー１００、または、メディアコミュニティ３００に関連付けられる格納場所にネットワークを介して接続される他のコンピューター機器を介して、自分のプロファイルを管理することができることは理解されるべきである。
【００１５】
識別情報に加えて、メディアカード１０２は、メンバーがメディアコミュニティ３００と対話することを可能にする、少なくとも１つのアクション可能な要素１１２を含む。一実施形態において、メディアカード１０２は、携帯型メディアプレーヤー１００のメモリー領域１１６に埋め込まれるオブジェクトである。さらに、メディアカード１０２を、ウェブページ、電子メール、電話、ゲーム機、および、ＰＣクライアントに、埋め込むことができる。携帯型メディアプレーヤー１００のメモリー領域１１６は、取り外し可能および／または取り外し不可能、揮発性および／または不揮発性のメモリーの形式のコンピューター記憶媒体を含む。
【００１６】
図２は、メディアカード１０２の例示の実施形態を示す。例示される実施形態において、メディアカード１０２は、ニックネームまたはタグ２０２、およびメンバーにより選択される画像２０４を含む。タグ２０２は、メディアコミュニティ３００内でのメンバーを表しメンバーのプロファイルに関連付けられる、一意のキャラクター名である。メディアコミュニティのメンバーは、タグ２０２を使用してコミュニティの他のメンバーを参照および検索することが可能である。あるいはまたは加えて、メディアカード１０２は、「音楽は我が人生である（Music is my life）」または「ロックは死なない（Long live rock）」などのメディアモットーを含む。
【００１７】
本発明の態様によると、メディアカード１０２は、メディアコミュニティのメンバーが、メンバーの１つまたは複数の好みのメディアジャンルの要素２０６Ａ、２０６Ｂ、２０６Ｃに関する情報にアクセスすることを可能にする。一実施形態において、好みのジャンル要素２０６Ａ、２０６Ｂ、２０６Ｃは、カントリー、ポップス、およびオルタナティブ・ロックなどの音楽のジャンルを特定する。別の実施形態において、好みのジャンル要素２０６Ａ、２０６Ｂ、２０６Ｃは、アクション、ドラマ、およびコメディなどの映画のジャンルを含む。あるいは、好みのジャンル要素２０６Ａ、２０６Ｂ、２０６Ｃは、映画と音楽のジャンルの混合を含む。メディアカード１０２において、３つの好みのジャンル要素２０６Ａ、２０６Ｂ、２０６Ｃは、何ら限定するものではなく、３つは例示のみの目的で示される。本発明の範囲から逸脱することなく、さまざまなメディアタイプに対する任意の数のジャンルを、メディアカード１０２内においてメンバーに対して特定することができる。
【００１８】
さらに図２を参照すると、メディアカード１０２はまた、メディアストリップ要素２０８を含む。メディアストリップ要素は、メディアファイル２１０Ａ、２１０Ｂ、２１０Ｃ、２１０Ｄ、２１０Ｅへの１つまたは複数の参照を含む。メディアファイル２１０Ａ、２１０Ｂ、２１０Ｃ、２１０Ｄ、２１０Ｅは、メンバーの携帯型メディアプレーヤー１００のメディア格納領域１０４に格納しなければならないわけではない。メディアストリップ２０８のメディアファイル２１０Ａ、２１０Ｂ、２１０Ｃ、２１０Ｄ、２１０Ｅは、メンバーによって指定するか、または携帯型メディアプレーヤー１００のメンバー使用の関数として装着することができる。あるいは、メディアストリップは、メディアストリップ２０８のメディアファイル２１０Ａ、２１０Ｂ、２１０Ｃ、２１０Ｄ、２１０Ｅへの参照を表す、アルバムの表紙または映画の美術を含む。
【００１９】
一実施形態において、メディアストリップ２０８は、メンバーの好みのメディアファイル２１０Ａ、２１０Ｂ、２１０Ｃ、２１０Ｄ、２１０Ｅへの参照を含む。この場合、メンバーは、自分の好みのメディアファイル２１０Ａ、２１０Ｂ、２１０Ｃ、２１０Ｄ、２１０Ｅを指定する。別の実施形態において、メディアストリップ２０８は、上位５つのリストへの参照などを含む。そのリストに含まれる参照は、メンバーによって携帯型メディアプレーヤー１００上で最も頻繁にレンダリングされるメディアファイル２１０Ａ、２１０Ｂ、２１０Ｃ、２１０Ｄ、２１０Ｅである。この場合、携帯型メディアプレーヤー１００は、メディアファイルがレンダリングされた回数を追跡記録し、周期的に（例えば、毎日、毎週）上位５つのリストを自動的に更新する。メディアカード１０２において、５つのメディアファイル２１０Ａ、２１０Ｂ、２１０Ｃ、２１０Ｄ、２１０Ｅは、何ら限定するものではなく、５つは例示の目的のみのために示される。本発明の範囲から逸脱することなく、メディアファイル２１０Ａ、２１０Ｂ、２１０Ｃ、２１０Ｄ、２１０Ｅへの任意の数の参照を、メディアストリップ２０８に含むことができる。メディアカード１０２のタグ２０２、好みのジャンル、メディアモットー、および画像要素は、メンバーが匿名でメディアコミュニティ３００と対話するのを可能にし、一方、メディアコミュニティ３００内で、一意の個別の人物像を有利に維持する。
【００２０】
メディアカード１０２の１つまたは複数の要素は、アクション可能である。一実施形態において、メディアカード１０２のアクション可能な要素１１２は、以下の１つまたは複数を可能にする。すなわち、電子メールをメンバーに送信すること、メディア推薦をメンバーに送信すること、インスタントメッセージをメンバーに送信すること、メンバーに関連付けられるメディアファイルをレンダリングすること、メディアファイルをメンバーに関連付けられる携帯型メディアプレーヤーに送信すること、メンバーのステータスを表示すること、およびメンバーの詳細なプロファイルを見ること、である。一実施形態において、画像２０４、タグ２０２およびメディアストリップ２０８は、アクション可能な要素である。例えば、メディアカード１０２の画像２０４が選択されると、メディアカード１０２に関連付けられるメンバーの詳細なプロファイルが、携帯型メディアプレーヤー１００上に表示される。別の実施例では、メディアカード１０２のタグ２０２が選択されると、電子メッセージまたはインスタントメッセージがメディアカード１０２に関連付けられるメンバーに送信される。また、第３の実施例では、メディアカード１０２のメディアストリップ２０８が選択されると、メディアストリップ２０８のメディアファイル２１０Ａ、２１０Ｂ、２１０Ｃ、２１０Ｄ、２１０Ｅは、携帯型メディアプレーヤー１００でレンダリングされる。１つまたは複数のメディアカード１０２の要素は、アクション可能であるので、メディアプレーヤーがネットワークに接続されているときはパーソナルコンピューター機器を必要とせずに、メンバーは携帯型メディアプレーヤー１００を介してメディアコミュニティ３００と有利に、直接対話することが可能である。
【００２１】
図１を再度参照すると、メディア格納領域１０４は、メディアファイル１０６Ａ、１０６Ｂ、１０６Ｃなどのメディアファイルに格納場所を提供する。一実施形態において、メディアファイル１０６Ａ、１０６Ｂ、１０６Ｃは、音楽メディアファイル、映像メディアファイル、および静止画ファイルを含む。あるいは、メディアファイル１０６Ａ、１０６Ｂ、１０６Ｃは、ゲームファイルおよびテキストファイルを含む。携帯型メディアプレーヤー１００は、メディアファイル１０６Ａ、１０６Ｂ、１０６Ｃをレンダリングする、プレイリストを作成および管理する、フレンドリスト１０８を作成および管理する、ならびにメディアカード１０２のアクション可能な要素にアクセスする、ユーザーインターフェース１１４を含む。一実施形態において、メディアファイル１０６Ａ、１０６Ｂ、１０６Ｃは、以下のフォーマットのうちの１つである。すなわち、ＭＰＥＧ２ビデオ、ＣＤオーディオ、ＭＰ３オーディオ、ＷＭＡオーディオ、およびＪＰＥＧ画像である。
【００２２】
限定ではなく例として、メディア格納領域１０４は、コンピューター読み取り可能な命令、データ構造、プログラムモジュール、メディアファイル１０６Ａ、１０６Ｂ、１０６Ｃ、または他のデータなどの情報を格納する任意の方法または技術において実装される揮発性および不揮発性媒体、取り外し可能および取り外し不可能な媒体を含む。例えば、コンピューター記憶媒体は、ＲＡＭ、ＲＯＭ、コンパクトフラッシュ（登録商標）メモリーもしくは他のメモリー技術、ＣＤ−ＲＯＭ、ＤＶＤ（digital versatile disk）もしくは他の光ディスク記憶装置、磁気カセット、磁気テープ、磁気ディスク記憶装置もしくは他の磁気記憶装置、または、所望の情報を格納するために使用し、また携帯型メディアプレーヤー１００によりアクセスすることができる任意の他の媒体を含む。
【００２３】
上述のように、携帯型メディアプレーヤー１００のユーザーインターフェース１１４は、フレンドリスト１０８を表示することができる。一実施形態において、フレンドリスト１０８は、コミュニティの他のメンバーの１つまたは複数のタグ１１０Ａ、１１０Ｂ、１１０Ｃを参照する。代替の一実施形態において、フレンドリスト１０８は、メディアコミュニティの他のメンバーの１つまたは複数のメディアカード１０２を参照する。タグ１１０Ａ、１１０Ｂ、１１０Ｃのアクション可能な要素１１２をフレンドリストから選択することによって、１人のメンバーが、ネットワークを介してメディアコミュニティ３００の他のメンバーと直接対話することが可能である。一実施形態において、メディアカード１０２およびタグ１１０Ａ、１１０Ｂ、１１０Ｃの、アクション可能な要素１１２は、以下の１つまたは複数を可能にする。すなわち、電子メールをメンバーに送信すること、メディア推薦をメンバーに送信すること、インスタントメッセージをメンバーに送信すること、メンバーに関連付けられるメディアファイルをレンダリングすること、メディアファイルをメンバーに関連付けられる携帯型メディアプレーヤー１００に送信すること、および、メンバーの詳細なプロファイルを見ること、である。代替の一実施形態において、メディアカード１０２およびタグ１１０Ａ、１１０Ｂ、１１０Ｃのアクション可能な要素１１２は、関連するメンバーのステータスを表示する。このステータス情報は、第１のメンバーが第２のメンバーに関する以下の１つまたは複数を判断することを可能にする。すなわち、第２のメンバーが現在第２のメンバーに関連付けられた第２の携帯型メディアプレーヤーを使用しているかどうか、第２のメンバーがメディアコミュニティにログインしているかどうか、第２のメンバーが最後にメディアコミュニティにログインした時間、および、第２のメンバーが第１のメンバーに近接して位置しているかどうか、についてである。３つのフレンドリストタグが便宜上示されるが、この数は単に例示のためのものであり、ユーザーインターフェース１１４の制限の中で、任意の数の追加のタグをフレンドリスト１０８に追加することができることは理解されるべきである。さらに、タグ１１０Ａ、１１０Ｂおよび１１０Ｃは、本発明の範囲から逸脱することなく、メディアカード１０２と概して同じまたはわずかに異なる構造を有することができることを、当業者は理解するであろう。
【００２４】
図３は、本発明の実施形態によるメディアコミュニティ３００を示す。メディアコミュニティは、プロファイル３０２Ａ、３０２Ｂ、３０２Ｃによって参照される１人または複数のメンバーから構成される。各プロファイル３０２Ａ、３０２Ｂ、３０２Ｃは、メンバー３０４Ａ、３０４Ｂ、３０４Ｃ、および、関連する携帯型メディアプレーヤー３０６Ａ、３０６Ｂ、３０６Ｃに対応する（すなわち、プロファイル1３０２Ａがメンバー３０４Ａおよび携帯型メディアプレーヤー1３０６Ａに関連付けられ、プロファイル2３０２Ｂがメンバー３０４Ｂおよび携帯型メディアプレーヤー2３０６Ｂに関連付けられ、プロファイルn３０２Ｃがメンバー３０４Ｃおよび携帯型メディアプレーヤーn３０６Ｃに関連付けられる）。一実施形態において、携帯型メディアプレーヤー３０６Ａ、３０６Ｂ、３０６Ｃは、図１に例示される携帯型メディアプレーヤー１００と同様に構成される。
【００２５】
加えて、メディア賞３０８Ａ、３０８Ｂ、３０８Ｃは、メディアコミュニティによって定義される特定の条件に合えば、メンバー３０４Ａ、３０４Ｂ、３０４Ｃのプロファイル３０２Ａ、３０２Ｂ、３０２Ｃに関連付けることができる。メディア賞３０８Ａ、３０８Ｂ、３０８Ｃの目的は、メンバー３０４Ａ、３０４Ｂ、３０４Ｃに、メディアコミュニティ３００内での彼らのコレクション、成果、および参加に対して褒賞を与えること、メンバー３０４Ａ、３０４Ｂ、３０４Ｃにメディアの収集を奨励すること、メンバー３０４Ａ、３０４Ｂ、３０４Ｃにメディアの見せびらかし比較する方法を与えること、メンバー３０４Ａ、３０４Ｂ、３０４Ｃを引き合わせる会話のきっかけを提供すること、メディアコミュニティのメンバー３０４Ａ、３０４Ｂ、３０４Ｃのためにより素晴らしい楽しみを作り出すこと、およびメンバー３０４Ａ、３０４Ｂ、３０４Ｃにメディアコミュニティ３００への参加を奨励し、一般に社会的相互作用の普及を促進すること、である。
【００２６】
図３に例示される携帯型メディアプレーヤー３０６Ａ、３０６Ｂ、３０６Ｃは、論理接続３１０を使用してネットワーク化された環境で動作することができる。図３に示される論理接続３１０は、ローカルエリアネットワーク（ＬＡＮ）およびワイドエリアネットワーク（ＷＡＮ）を含むが、他のネットワークを含むこともできる。ＬＡＮおよび／またはＷＡＮは、有線ネットワーク、無線ネットワーク（例えば、Ｗｉ−Ｆｉ、Ｂｌｕｅｔｏｏｔｈ（登録商標））、その組み合わせなどとすることができる。そのようなネットワーク環境は、家庭、学校、職場、ホテル、レストラン、店、喫茶店、企業、企業規模のコンピューターネットワーク、イントラネット、およびグローバルなコンピューターネットワーク（例えば、インターネット）において、一般的なものである。図示したネットワーク接続は例示であり、コンピューター間に通信リンクを確立する他の手段を使用することができる。代替の一実施形態において、メディアカード１０２のアクション可能な要素１１２は、メンバーのステータスを表示する。ステータスは、メンバー３０４Ａ、３０４Ｂ、３０４Ｃがコミュニティの他のメンバーに関する以下の１つまたは複数を判断することを可能にする。すなわち、メンバー３０４Ａ、３０４Ｂ、３０４Ｃが、現在自分の関連する携帯型メディアプレーヤー３０６Ａ、３０６Ｂ、３０６Ｃを使用しているかどうか、メンバー３０４Ａ、３０４Ｂ、３０４Ｃが、メディアコミュニティ３００にログインしているかどうか、メンバー３０４Ａ、３０４Ｂ、３０４Ｃが最後にメディアコミュニティ３００にログインした時間、および、メンバー３０４Ａ、３０４Ｂ、３０４Ｃが別のメンバーに近接して位置しているかどうか、についてである。一実施形態において、携帯型メディアプレーヤー３０６Ａ、３０６Ｂ、３０６Ｃが１つまたは複数の論理接続３１０（例えば、ピアツーピアネットワーク）を介して直接通信を確立することが可能ならば、メンバー３０４Ａ、３０４Ｂ、３０４Ｃは、お互いに近接して位置する。  
ここで、図４を参照すると、例示のフローチャートは、メディアコミュニティ３００のメンバーのために、メディアカード１０２を作成する本発明の態様を示す。４０２で、メディアコミュニティ３００の第１のメンバーのために、予め定義されたフィールドを使用してプロファイルが作成される。第１のメンバーは、第１の携帯型メディアプレーヤー１００に関連付けられ、プロファイルは、第１のメンバーに関するさまざまな詳細、そのメンバーの携帯型メディアプレーヤー１００の使用、およびコミュニティ３００内での相互作用を、記載する情報を含む。一実施形態において、プロファイルは、上記に挙げたパラメーターを含む。
【００２７】
４０４で、第１のメディアカード１０２は、プロファイルから作成される。一実施形態において、第１のメディアカード１０２は、第１のメンバーが第１の携帯型メディアプレーヤー１００を介してメディアコミュニティ３００と対話することを可能にする、アクション可能な要素１１２を含む。別の実施形態において、第１のメンバーは、第１のメディアカード１０２に含まれるプロファイルのパラメーターを指定する。４０６へ進み、第１のメディアカード１０２は、第１のメンバーに提供される。一実施形態において、第１のメディアカード１０２は、第１の携帯型メディアプレーヤー１００のメモリー領域１１６に埋め込まれるオブジェクトである。付属書Ａは、本発明の実施形態による第１のメディアカード１０２のための例示のデータ定義を含む。
【００２８】
一実施形態において、４０８で、第１のメンバーは、フレンドリストを作成する。フレンドリストは、メディアコミュニティ３００の１人または複数の他のメンバーのメディアカード１０２を備える。第１の代替として、フレンドリストは、１人または複数の他のメンバーのタグ２０２を備える。第２の代替として、フレンドリストは、ゲームコミュニティおよびインスタントメッセージコミュニティなどの他のコミュニティからの連絡先を含む。第１のメンバーは、フレンドリストの第２のメディアカード１０２のアクション可能な要素１１２を介してコミュニティの第２のメンバーと対話する。第２のメディアカード１０２は、第２のメンバーに関連付けられる。一実施形態において、第２のメディアカード１０２のアクション可能な要素１１２により可能とされる相互作用は、第２のメンバーにメッセージを送信すること、第２のメンバーにメディア推薦を送信すること、第２のメンバーにメディアを送信すること、および第２のメンバーのプロファイルを見ること、を含む。
【００２９】
あるいは、メディアコミュニティ３００は、友人、すなわち第２のメンバーを第１のメンバーに推薦する。第１のメンバーは、第２のメンバーの友人推薦を受け入れるかまたは拒否することができる。メディアコミュニティ３００は、第１のメンバーに第２のメンバーを、以下の１つまたは複数のものの関数として推薦する。すなわち、第１のメンバーの互換性指標、第１のメンバーにより獲得された賞、および第１のメンバーのプロファイルからの他の判定基準、である。互換性指標は、第１のメンバーのメディアコレクションと他のメディアコミュニティ３００のメンバーのメディアコレクションとの間の「同一性」の尺度である。あるいは、互換性指標は、第１のメンバーの選好、メディア賞、またはメディアコレクションの関数として生成することができる。一実施形態において、互換性指標は、第１のメンバーがメディアコミュニティ３００の他のメンバーおよび第１の携帯型メディアプレーヤー１００と対話するときに、常に更新される。
【００３０】
さらに別の実施形態において、４０８で、第１のメンバーは、プレイリストを作成する。プレイリストは、第１の携帯型メディアプレーヤー１００のメディアファイルへの参照を備える。プレイリストは、第１のメンバーによって、または第１のメンバーの第１の携帯型メディアプレーヤー１００との対話を通じて作成することが可能である。例えば、好みのプレイリストにおいて、第１のメンバーは、自分の一番の好みのメディアファイルを指定することによってプレイリストを作成する。しかし、上位５つ（または１０、２０など）のプレイリストでは、プレイリストは、第１のメンバーの最もレンダリングされる５つのメディアファイルが、周期的に（例えば、毎日、毎週、または常に）自動的に投入される。さらに、プレイリストが第１のメディアカード１０２に関連付けられるときは、プレイリストが更新されるときに、第１のメディアカード１０２のプレイリストが自動的に更新される。例えば、メディアコミュニティ３００の第１のメンバーが、月曜日に第２のメンバーの第２のメディアカード１０２を自分のフレンドリストに追加し、第２のメンバーの好みのプレイリストが第２のメディアカード１０２に関連付けられる場合を考える。月曜日に、第１のメンバーが、第２のメンバーの好みのプレイリストを見て、５つの歌Ａ、Ｂ、Ｃ、ＤおよびＥを目にする。火曜日に、第２のメンバーが歌Ｃを削除し、歌Ｆを好みのプレイリストに追加する。第１のメンバーが、第２のメディアカード１０２の好みのプレイリストを水曜日に見るとすると、第１のメンバーは、歌Ａ、Ｂ、Ｄ、ＥおよびＦを目にするであろう。一実施形態においては、第１のメンバーが、第１の携帯型メディアプレーヤー１００をメディアコミュニティ３００に同期させるときに、第２のメディアカード１０２に関連付けられるプレイリストが更新される。別の実施形態において、同期は、パーソナルコンピューター機器を介して起こることが可能である。あるいは、第１の携帯型メディアプレーヤー１００は、メディアコミュニティ３００に関連付けられるネットワークに直接接続することによって同期することが可能である。
【００３１】
別の実施形態において、プレイリストは、第１のメンバーが、自分のプレイリストを公表することによってメディアコミュニティ３００と対話することを可能にする。プレイリストが公表されると、メディアコミュニティ３００の他のメンバーは、プレイリストを見て、ダウンロードし、評価することが可能である。代替の実施形態において、第１のメンバーは、プレイリストを公表することによって、メディア賞を獲得する。さらに、公表されたプレイリストは、他のメディアコミュニティ３００の相互作用を促進する。例えば、メディアコミュニティ３００の他のメンバーは、プレイリストについてコメントするか、または第１のメンバーに連絡を取ってプレイリストのメディアファイルについてのさらなる情報を求めることができる。
【００３２】
図５は、メディア賞をメディアコミュニティ３００のメンバーに授与する本発明の実施形態を示すフロー図である。本発明の実施形態が、携帯型メディアプレーヤー１００を使用して示されるが、メディアコミュニティのメンバーは、メディアカード１０２を作成し、ゲーム機、電話、およびＰＣを含むがこれに限定されないさまざまな機器を利用してメディアコミュニティ３００と対話することが可能であることが企図されている。メディア賞は、メディアコミュニティ３００のメンバーに、メディアコミュニティ３００内での彼らのメディアコレクション、メディアの成果、および参加に対して褒賞を与える。メディア賞はまた、メンバーにメディアの収集を奨励し、メンバーにメディアの見せびらかし比較する方法を与え、メンバーを引き合わせる会話のきっかけを提供し、メディアコミュニティのメンバーのためにより素晴らしい楽しみを作り出し、メンバーにメディアコミュニティ３００への参加を奨励する。
【００３３】
５０２で、１つまたは複数のメディア賞が定義される。一実施形態において、メディア賞は、以下の３つのカテゴリに基づき授与される。（１）メディアコミュニティにコンテンツを提供すること（例えば、メディア、レビュー、コメント、推薦状、フィードバック、バグなど）、（２）メディアコミュニティからコンテンツを購入すること（例えば、音楽、映画、ＴＶ、特定のジャンル、タイプなど）、（３）メディアコミュニティ内のコンテンツと対話すること（例えば、ストリーミング、共有、ＤＪをする、同期、再生、ミキシングなど）。メディアコミュニティ３００により授与されるメディア賞は、以下の１つまたは複数を含む。すなわち、メディアコミュニティ３００に関連付けられる携帯型メディアプレーヤー１００を所有すること、メディアライブラリをメディアコミュニティ３００と互換性のあるフォーマットに変換すること、メディアコミュニティ３００におけるメンバーシップを別の人に薦めること、１つまたは複数のメディアのレビューを書くこと、コミュニティの別のメンバーにメディアをストリーミングすること、コミュニティの別のメンバーとメディアを共有すること、メディアコミュニティ３００の他のメンバーのためにディスクジョッキーセッションを主催すること、強力なファンであること、ジャンルの熱狂的なファンであること、携帯メディア機器のメディアを評価すること、オーディオファンであること、映画ファンであること、音楽評論家であること、映画評論家であること、独立系放送番組供給を使用してメディアファイルを配給すること、および、メディアコミュニティ３００の優良な市民であること、である。本発明の実施形態によるメディア賞は、付属書Ｂに列挙され記載される。
【００３４】
５０４で、メンバーのメディアコミュニティ３００との対話は、第１のメンバーのプロファイルに追跡記録される。５０６で、メンバーのメディアコミュニティ３００との対話の関数として、メディア賞が授与される。第１の実施例において、オーディオファンメディア賞は、最低数の音楽メディアファイルを所有するメンバーに授与される。別の実施例では、５０の歌を所有または購入するメンバーは、音楽愛好賞が授与され、１００の歌を所有または購入するメンバーは、音楽熱狂賞が授与され、２５０の歌を所有または購入するメンバーは、オーディオファン賞が授与され、５００の歌を所有または購入するメンバーは、音楽は我が人生賞が授与される。
【００３５】
ダイナミック賞は、メンバーが成果の基準を満たし、維持する限り、メンバーのプロファイルに関連付けられるメディア賞である。例えば、閾値期間（例えば、少なくとも１日当り４時間）の間、自分の携帯型メディアプレーヤー３０６Ａ、３０６Ｂ、３０６Ｃを使用する図３のメンバー３０４Ａ、３０４Ｂ、３０４Ｃに、音楽熱狂的ファン賞が授与される場合を考える。メンバー３０４Ａが、自分の携帯型メディアプレーヤー３０６Ａを１日に４時間使用するならば、音楽熱狂的ファン賞３０８Ａは、彼のプロファイル３０２Ａに関連付けられるであろう。メンバー３０４Ａが、自分の携帯型メディアプレーヤー３０６Ａを１日４時間使用することを停止すれば、音楽熱狂的ファン賞３０８Ａはもはや、彼のプロファイル３０２Ａには関連付けられないであろう。
【００３６】
トラベリングカップ賞は、勝者が、他の誰かに倒されるまでは「カップ」を所有して表示できるスポーツイベントと同様のメディア賞３０８Ａ、３０８Ｂ、３０８Ｃである。一実施形態において、「カップ」は時間周期当りの聴く時間／見る時間が一番長いメンバー３０４Ａ、３０４Ｂ、３０４Ｃに贈られる。あるいは、「カップ」は、最も多くメディアファイルを所有するメンバー３０４Ａ、３０４Ｂ、３０４Ｃに贈られる。例えば、メンバー３０４Ａが現在１２０のメディアファイルを所有し、メンバー３０４Ｂが現在１５０のメディアファイルを所有し、メンバー３０４Ｃが現在１４０のメディアファイルを所有しているとする。最も多くメディアファイルを所有していることに対する「カップ」賞は、メンバー３０４Ｂのプロファイル３０２Ｂに関連付けられるであろう。ここで、メンバー３０４Ｃが１１の新しいメディアファイルを購入し、合計１５１のメディアファイルを持つことになったとする。最も多くメディアファイルを所有していることに対する「カップ」賞は、もはやメンバー３０４Ｂのプロファイル３０２Ｂには関連付けられず、代わりに、メンバー３０４Ｃのプロファイル３０２Ｃに関連付けられるであろう。
【００３７】
さらに図５を参照すると、５０８で、メディア賞がメンバーのプロファイルに関連付けられる。代替の一実施形態において、メディア賞は、メンバーのメディアカード１０２に含まれる。第３の代替では、メディアカード１０２は、トロフィーケースを含む。メンバーは、メンバーに授与された１つまたは複数のメディア賞を指定して、トロフィーケースに含まれるようにする。これにより、メンバーが、自分にとって非常に意味のあるメディア賞を陳列し強調することが可能になる。５１０で、メディア賞の通知がメディアコミュニティ３００に掲載される。通知は、メディアコミュニティ３００のメンバーがアクセス可能で、メンバーに関連付けられるプロファイルからの情報を含む。
【００３８】
図６は、メディアコミュニティ３００プロファイルを通じて人とメディアを発見するコンピューター実行可能なコンポーネントを有する、コンピューター読み取り可能な媒体６００を示す。コンポーネントは、メディアメンバーシップコンポーネント６０２、インターフェースコンポーネント６０４、およびメディア賞コンポーネント６０６を含む。携帯型メディアプレーヤー１００は、典型的には少なくともコンピューター読み取り可能な媒体の何らかの形式を有する。コンピューター読み取り可能な媒体は、揮発性および不揮発性媒体、取り外し可能および取り外し不可能媒体の両方を含むもので、携帯型メディアプレーヤー１００によりアクセスされる任意の利用可能な媒体とすることができる。限定ではなく例として、コンピューター読み取り可能な媒体は、コンピューター記憶媒体および通信媒体を備える。コンピューター記憶媒体は、コンピューター読み取り可能な命令、データ構造、プログラムモジュールまたは他のデータなどの情報を格納する任意の方法または技術において実装される、揮発性および不揮発性、取り外し可能および取り外し不可能な媒体を含む。例えば、コンピューター記憶媒体は、ＲＡＭ、ＲＯＭ、フラッシュメモリーもしくは他のメモリー技術、ＣＤ−ＲＯＭ、ＤＶＤ（digital versatile disk）もしくは他の光ディスク記憶装置、磁気ディスク記憶装置もしくは他の磁気記憶装置、または、所望の情報を格納するために使用され、また携帯型メディアプレーヤー１００によりアクセスすることができる任意の他の媒体を含む。通信媒体は、典型的には、コンピューター読み取り可能な命令、データ構造、プログラムモジュール、または他のデータを搬送波または他の転送機構などの変調データ信号に具現化し、また、任意の情報配信媒体を含む。当業者は、変調データ信号であって、情報を信号にエンコードするような方法で、その１つまたは複数の特徴が設定または変更された変調データ信号に精通している。有線ネットワークまたは直接有線接続などの有線媒体、ならびにＷｉ−Ｆｉ、音響、ＲＦ、赤外線、および、他の無線媒体などの無線媒体が通信媒体の実施例である。上記の任意の組み合わせはまた、コンピューター読み取り可能な媒体の範囲内に含まれる。
【００３９】
メディアメンバーシップコンポーネント６０２は、メディアコミュニティ３００内の携帯型メディアプレーヤー１００に関連付けられるメンバーのプロファイルを作成する。メディアカード１０２はプロファイルから作成され、またメンバーの自称の識別を表すオブジェクトである。さらに、上記に詳述したように、メディアカード１０２は、メンバーがメディアコミュニティ３００と対話することを可能にする１つまたは複数のアクション可能な要素を含む。一実施形態において、メディアカード１０２は、プロファイルに関連付けられるメンバーに提供され、携帯型メディアプレーヤー１００のメモリー領域に埋め込まれる。
【００４０】
インターフェースコンポーネント６０４は、メンバーがメディアカード１０２のアクション可能な要素１１２にアクセスし、フレンドリストを管理し、そしてプレイリストを作成または共有することを可能にする。プレイリストは、携帯型メディアプレーヤー１００の複数のメディアファイルの１つを参照し、メンバーのプロファイルに関連付けられる。一実施形態において、プレイリストは、メディアカード１０２の少なくとも１つのアクション可能な要素に関連付けられる。例えば、フレンドリストにおいて、携帯型プレーヤーに関連付けられる第１のメンバーが、自分のフレンドリストに第２のメンバーのタグ２０２を追加する。第２のメンバーは、プレイリストを作成してタグ２０２に関連付けている。タグ２０２のアクション可能な要素は、第１のメンバーが、プレイリストへ参照されるメディアファイルを第１の携帯型メディアプレーヤー１００上でレンダリングすることを可能にする。
【００４１】
代替の一実施形態において、インターフェースコンポーネントは、ドラッグ・アンド・ドロップ・インターフェースであり、第１のメンバーが第１の携帯型メディアプレーヤー１００のメディアファイルを選択してフレンドリストのタグ２０２にドラッグしたり、または第１のメンバーがフレンドリストのタグ２０２を選択して第１の携帯型メディアプレーヤー１００のメディアファイルにドラッグしたりする。この場合、第１の携帯型メディアプレーヤー１００のメディアファイル（またはメディアファイルへの参照）は、タグ２０２に関連付けられる第２のメンバーに関連付けられる携帯型プレーヤーに転送される。
【００４２】
メディア賞コンポーネント６０６は、メンバーのメディアコミュニティ３００との対話に関連付けられる、メディア賞を定義する。メディア賞コンポーネント６０６はまた、メンバーのメディアコミュニティ３００との対話をメンバーに関連付けられるプロファイルに追跡記録する。メディア賞は、追跡記録されたメンバーの対話の関数としてメンバーに授与される。メディア賞は、授与されると、メンバーのプロファイルに関連付けられる。代替の一実施形態において、メンバーのプロファイルに関連付けられるメディアカード１０２のアクション可能な要素を、メンバーに関連付けられるメディア賞を表示することを可能とする。
【００４３】
例示の目的のため、プログラム、ならびにメディアメンバーシップコンポーネント６０２、インターフェースコンポーネント６０４、およびメディア賞コンポーネント６０６などの他の実行可能なプログラムコンポーネントは、個別ブロックとして本明細書に示される。しかし、そのようなプログラムおよびコンポーネントが、さまざまな時間に携帯型メディアプレーヤー１００の異なる格納コンポーネント内に存在し、機器のデータ処理装置によって実行されることは、認識される。
【００４４】
本明細書に例示され記載される本発明の実施形態における動作の遂行または実行の順序は、特に規定されない限り重要ではない。すなわち、動作は特に規定されない限り任意の順序で実行することができ、本発明の実施形態は、追加の動作または本明細書に記載されるものより少ない動作を含むことができる。例えば、特定の動作を、別の動作の前、同時、または後に、遂行または実行することは、本発明の態様の範囲内であることが意図される。
【００４５】
本発明の実施形態を、コンピューター実行可能な命令と共に実施することができる。コンピューター実行可能な命令を、１つまたは複数のコンピューター実行可能なコンポーネントまたはモジュールに編成することができる。本発明の態様を、任意の数のそのようなコンポーネントまたはモジュール、およびこの編成と共に実施することができる。例えば、本発明の態様は、図面に示され本明細書に記載される、特定のコンピューター実行可能な命令、または、特定のコンポーネントもしくはモジュールに限定されない。本発明の他の実施形態は、本明細書に示され記載されるよりも多いかまたは少ない機能を有する、異なるコンピューター実行可能な命令またはコンポーネントを含むことができる。
【００４６】
本発明の態様またはその実施形態の構成要素を導入するとき、冠詞「ある（ａ、ａｎ）」、「その（ｔｈｅ）」および「前記（ｓａｉｄ）」が、１つまたは複数の構成要素があることを意味するべく意図される。用語「備える」「含む」および「有する」は、包括的であるべく、また列挙される構成要素以外の追加の構成要素があるかもしれないことを意味するべく意図される。
【００４７】
本発明の態様を詳細に記載したが、本発明の態様の範囲から逸脱することなく添付の請求項に定義されるように、修正および変更することが可能であることは理解されるであろう。さまざまな変更が、本発明の態様の範囲から逸脱することなく、上記の構成、生産物および方法でなされることが可能であるので、上記の記載に含まれ、添付の図面に示される全ての事が説明のためのものであると解釈されるべきであり、限定の意味で解釈されるべきではないことが意図される。
【００４８】
付属書Ａ
付属書Ｂは、本発明の実施形態によるメディアカードの例示のデータ定義である。
【００４９】
ＳＯＡＰ定義名：ＭｅｄｉａＰｉｃｔｕｒｅＬａｒｇｅ
タイプ：Ｔｅｘｔ
ＳＯＡＰ処理：ストレージパスが構築され画像を取り出す。ＵＲＬは（６４×６４）へのパスである。ＳＯＡＰ  ＡＰＩは、クライアントに透過的な、参照すべき正しい公開の／非公開の画像を判定するであろう。
データ例：／／ｇｌｏｂａｌ／ｔ：ｔｉｔｌｅｉｄ／ｔｉｌｅ／０／ｉｍａｇｅｉｄ
プロファイル定義設定名：ＸＰＲＯＦＩＬＥ＿ＭＥＤＩＡ＿ＰＩＣＴＵＲＥ
データタイプ：ＵＮＩＣＯＤＥ
サイズ（バイト）：１００
【００５０】
ＳＯＡＰ定義名：ＭｅｄｉａＰｉｃｔｕｒｅＳｍａｌｌ
タイプ：Ｔｅｘｔ
ＳＯＡＰ処理：ストレージパスが構築され画像を取り出すであろう。ＵＲＬは（３２×３２）へのパスである。ＳＯＡＰ  ＡＰＩは、クライアントに透過的な、参照すべき正しい公開の／非公開の画像を判定するであろう。
データ例：／／ｇｌｏｂａｌ／ｔ：ｔｉｔｌｅｉｄ／ｔｉｌｅ／０／ｉｍａｇｅｉｄ
プロファイル定義設定名：上記設定の一部
データタイプ：
サイズ（バイト）：
【００５１】
ＳＯＡＰ定義名：
タイプ：
ＳＯＡＰ処理：プロファイルストアが非公開の画像を同様に維持し、サービスがマッピングしてこれをクライアントに透過的に維持する。
データ例：
プロファイル定義設定名：ＸＰＲＯＦＩＬＥ＿ＭＥＤＩＡ＿ＰＩＣＴＵＲＥ＿ＰＲＩＶＡＴＥ
データタイプ：ＵＮＩＣＯＤＥ
サイズ（バイト）：１００
【００５２】
ＳＯＡＰ定義名：ＭｅｄｉａＳｔｙｌｅ１
タイプ：ＤＷＯＲＤ
ＳＯＡＰ処理：なし、だが上位３ビットはメディアタイプをエンコードし、ｅｎｕｍは、ＷＳＤＬで有効値に対して定義されなければならない。Ｅｎｕｍ：音楽＝０；ビデオ＝ｌ；予約＝２−７
データ例：０ｘ１０００００１Ｃ
プロファイル定義設定名：ＸＰＲＯＦＩＬＥ＿ＭＥＤＩＡ＿ＳＴＹＬＥ１
データタイプ：ＤＷＯＲＤ
サイズ（バイト）：４
【００５３】
ＳＯＡＰ定義名：ＭｅｄｉａＳｔｙｌｅ２
タイプ：ＤＷＯＲＤ
ＳＯＡＰ処理：なし、だが上位３ビットはメディアタイプをエンコードし、ｅｎｕｍは、ＷＳＤＬで有効値に対して定義されなければならない。Ｅｎｕｍ：音楽＝０；ビデオ＝ｌ；予約＝２−８
データ例：０ｘ１０００００１Ｃ
プロファイル定義設定名：ＸＰＲＯＦＩＬＥ＿ＭＥＤＩＡ＿ＳＴＹＬＥ２
データタイプ：ＤＷＯＲＤ
サイズ（バイト）：４
【００５４】
ＳＯＡＰ定義名：ＭｅｄｉａＳｔｙｌｅ３
タイプ：ＤＷＯＲＤ
ＳＯＡＰ処理：なし、だが上位３ビットはメディアタイプをエンコードし、ｅｎｕｍは、ＷＳＤＬで有効値に対して定義されなければならない。Ｅｎｕｍ：音楽＝０；ビデオ＝ｌ；予約＝２−９
データ例：０ｘ１０００００１Ｃ
プロファイル定義設定名：ＸＰＲＯＦＩＬＥ＿ＭＥＤＩＡ＿ＳＴＹＬＥ３
データタイプ：ＤＷＯＲＤ
サイズ（バイト）：４
【００５５】
ＳＯＡＰ定義名：ＭｅｄｉａＳｔｙｌｅＳｔｒｉｎｇ１
タイプ：Ｓｔｒｉｎｇ
ＳＯＡＰ処理：ｍｅｄｉａｓｔｙｌｅ１に対応する文字列
データ例：Ｓｈｏｅｇａｚｅ
プロファイル定義設定名：ｎ／ａ
データタイプ：
サイズ（バイト）：
【００５６】
ＳＯＡＰ定義名：ＭｅｄｉａＳｔｙｌｅＳｔｒｉｎｇ２
タイプ：Ｓｔｒｉｎｇ
ＳＯＡＰ処理：ｍｅｄｉａｓｔｙｌｅ２に対応する文字列
データ例：Ｓｈｏｅｇａｚｅ
プロファイル定義設定名：ｎ／ａ
データタイプ：
サイズ（バイト）：
【００５７】
ＳＯＡＰ定義名：ＭｅｄｉａＳｔｙｌｅＳｔｒｉｎｇ３
タイプ：Ｓｔｒｉｎｇ
ＳＯＡＰ処理：ｍｅｄｉａｓｔｙｌｅ３に対応する文字列
データ例：Ｓｈｏｅｇａｚｅ
プロファイル定義設定名：ｎ／ａ
データタイプ：
サイズ（バイト）：
【００５８】
ＳＯＡＰ定義名：Ｔｏｐ５Ａｌｂｕｍ１
タイプ：ＱＷＯＲＤ
ＳＯＡＰ処理：なし
データ例：０ｘ０００００００１ＡＢＣＤ１２３４
プロファイル定義設定名：ＸＰＲＯＦＩＬＥ＿ＴＯＰ＿ＡＬＢＵＭ１
データタイプ：ＱＷＯＲＤ
サイズ（バイト）：８
【００５９】
ＳＯＡＰ定義名：Ｔｏｐ５Ａｌｂｕｍ２
タイプ：ＱＷＯＲＤ
ＳＯＡＰ処理：なし
データ例：０ｘ０００００００１ＡＢＣＤ１２３５
プロファイル定義設定名：ＸＰＲＯＦＩＬＥ＿ＴＯＰ＿ＡＬＢＵＭ２
データタイプ：ＱＷＯＲＤ
サイズ（バイト）：８
【００６０】
ＳＯＡＰ定義名：Ｔｏｐ５Ａｌｂｕｍ３
タイプ：ＱＷＯＲＤ
ＳＯＡＰ処理：なし
データ例：０ｘ０００００００１ＡＢＣＤ１２３６
プロファイル定義設定名：ＸＰＲＯＦＩＬＥ＿ＴＯＰ＿ＡＬＢＵＭ３
データタイプ：ＱＷＯＲＤ
サイズ（バイト）：８
【００６１】
ＳＯＡＰ定義名：Ｔｏｐ５Ａｌｂｕｍ４
Ｔｙｐｅ：ＱＷＯＲＤ
ＳＯＡＰ処理：なし
データ例：０ｘ０００００００１ＡＢＣＤ１２３７
プロファイル定義設定名：ＸＰＲＯＦＩＬＥ＿ＴＯＰ＿ＡＬＢＵＭ４
データタイプ：ＱＷＯＲＤ
サイズ（バイト）：８
【００６２】
ＳＯＡＰ定義名：Ｔｏｐ５Ａｌｂｕｍ５
Ｔｙｐｅ：ＱＷＯＲＤ
ＳＯＡＰ処理：なし
データ例：０ｘ０００００００１ＡＢＣＤ１２３８
プロファイル定義設定名：ＸＰＲＯＦＩＬＥ＿ＴＯＰ＿ＡＬＢＵＭ５
データタイプ：ＱＷＯＲＤ
サイズ（バイト）：８
【００６３】
ＳＯＡＰ定義名：ＯｆｆｌｉｎｅＵｓｅｒＩｄ
タイプ：Ｂｉｎａｒｙ
ＳＯＡＰ処理：なし。フォーマットはグローバルなユーザー識別子のカウントのバイナリＤＷＯＲＤで、それらグローバルなユーザー識別子のバイナリが続く。
データ例：０ｘ０００００００１ａｂｃ２ｂｆｄ４６７ａ９４９ｃ７８ｃｃ８ｄｂｄ５５２ｄｄ２１３５
プロファイル定義設定名：ＸＰＲＯＦＩＬＥ＿ＯＦＦＬＩＮＥ＿ＩＤ
データタイプ：ＢＩＮＡＲＹ
サイズ（バイト）：５２
【００６４】
ＳＯＡＰ定義名：ＳｐｅｃｉａｌｔｙＡｃｃｏｕｎｔＴｙｐｅｓ
タイプ：Ｅｎｕｍ
ＳＯＡＰ処理：なし
データ例：１
プロファイル定義設定名：ＸＰＲＯＦＩＬＥ＿ＢＫＧＤ＿ＩＭＡＧＥ
データタイプ：ＤＷＯＲＤ
サイズ（バイト）：４
【００６５】
ＳＯＡＰ定義名：ＭｅｄｉａＭｏｔｔｏ
タイプ：Ｕｎｉｃｏｄｅ
ＳＯＡＰ処理：なし（１２８  ｃｈａｒａｃｔｅｒｓ）
データ例：Ｍｏｔｔｏｓ  ａｒｅ  ｆｏｒ  ｓｉｓｓｉｅｓ
プロファイル定義設定名：ＸＰＲＯＦＩＬＥ＿ＭＥＤＩＡ＿ＭＯＴＴＯ
データタイプ：ＵＮＩＣＯＤＥ
サイズ（バイト）：２５６
【００６６】
ＳＯＡＰ定義名：ＭｅｍｂｅｒｓｈｉｐＴｉｅｒ
タイプ：Ｕｎｉｔ
ＳＯＡＰ処理：なし、以下の通り列挙される：０＝無効、３＝シルバー、６＝ゴールド
データ例：６
プロファイル定義設定名：ｎ／ａ
データタイプ：
サイズ（バイト）：
【００６７】
ＳＯＡＰ定義名：Ｔｉｍｅｓｔａｍｐ
タイプ：ＤａｔｅＴｉｍｅ
ＳＯＡＰ処理：ＵＴＣ  ＦＩＬＥＴＩＭＥからどんなＳＯＡＰ日時にでも変換する。ＤａｔｅＴｉｍｅ．ＧｅｔＦｒｏｍＦｉｌｅＴｉｍｅＵｔｃ（ｄａｔａ）を介してＣ＃ＤａｔｅＴｉｍｅを取得。タイムスタンプは、ＭｕｓｉｃＴｏｐ２０またはＴｏｐ５ＡｌｂｕｍＸが変化するときに更新されるだけである。
データ例：しかしながら、ＳＯＡＰは日付と時間を示す。
プロファイル定義設定名：ＸＰＲＯＦＩＬＥ＿ＬＡＳＴ＿ＣＨＡＮＧＥ＿ＴＩＭＥ
データタイプ：ＤＡＴＥＴＩＭＥ
サイズ（バイト）：８
【００６８】
ＳＯＡＰ定義名：ＭｕｓｉｃＴｏｐ２０
タイプ：Ｂｉｎａｒｙ
ＳＯＡＰ処理：なし。フォーマットは、トラック識別子のカウントのバイナリＱＷＯＲＤであり、このトラック識別子はまたＱＷＯＲＤである。２１×８＝１６８
データ例：
０ｘ０００００００００００００００２ＡＡＡＡＡＡＡＡＡＡＡＡＡＡＡＡＢＢＢＢＢＢＢＢＢＢＢＢＢＢＢＢ
プロファイル定義設定名：ＸＰＲＯＦＩＬＥ＿ＴＯＰ＿ＭＵＳＩＣ
データタイプ：ＢＩＮＡＲＹ
サイズ（バイト）：１６８
【００６９】
付属書Ｂ
以下は、メディアコミュニティメンバーに授与することができるメディア賞の一覧である。
【００７０】
所有者−メンバーは、メディアコミュニティの携帯型メディアプレーヤーを所有する。
【００７１】
メディアコミュニティの既得のメンバー−メンバーは、携帯型メディアプレーヤーのメディアファイルをメディアコミュニティと互換性のあるフォーマットに変換した。
【００７２】
メンバーは、好みのジャンルを指定した。
【００７３】
メンバーは、携帯型メディアプレーヤーの別のユーザーをメディアコミュニティに推薦した。
【００７４】
メンバーは、第１のメディアレビューを書いた。さらに、１０番目のレビュー、５０番目のレビュー、１００以上のレビューに対して授与される。
【００７５】
ストリーマー−メンバーは、メディアファイルをメディアコミュニティの別のメンバーにストリーミングした。
【００７６】
メンバーは、メディアを別のメンバーと５０回共有した。さらに、１００回の共有、５００回以上の共有に対して授与される。別の実施例では、メンバーは、プレイリストを共有した。例えば、１０の公開プレイリストを共有したメンバーが、プレイリスト賞を獲得し、２５の公開プレイリストを共有したメンバーが、ＤＪ賞を獲得し、５０の公開プレイリストを共有したメンバーが、Ｍｉｘ  Ｍａｓｔｅｒ賞を獲得し、および、１００以上の公開プレイリストを共有したメンバーが、Ｍｉｘ  Ｍａｓｔｅｒ  Ｄｌｕｘを獲得する。
【００７７】
別の賞が、メンバーのプレイリストをダウンロードしたメンバーの数に基づき授与される。例えば、１００人があなたのプレイリストをダウンロードすれば、「人々は私のプレイリストが好き」賞を獲得し、２５０人があなたのプレイリストをダウンロードすれば、「私のミックスが受けた（Ｍｙ  ｍｉｘｅｓ  ｓｈａｋｅ  ｉｔ  ｕｐ）」賞を獲得し、５００人があなたのプレイリストをダウンロードすれば、「イェー私はＤＪ（Ｙｅａｈ  Ｉ'ｍ  ａ  ＤＪ）」賞を獲得し、１０００人以上があなたのプレイリストをダウンロードすれば、「あなたは私をＭｉｘ  Ｍａｓｔｅｒ  Ｄｌｘと呼べる（Ｙｏｕ  ｃａｎ  ｃａｌｌ  ｍｅ  Ｍｒ．Ｍｉｘ  Ｍａｓｔｅｒ  Ｄｌｘ）」を獲得し、および、最もダウンロードされたプレイリストは「ミックスの第一人者（Ｔｏｐ  Ｍｉｘ  Ｄｏｇ）」賞を獲得する。
【００７８】
メンバーは、ＤＪ（ディスクジョッキー）セッションを主催した。さらに、１００人にＤＪをする、５００人以上にＤＪをする、ことにも授与される。
【００７９】
第３のメディア賞は、プレイリストの評価に関する。例えば、１００人がプレイリストを７５％の賛成で評価すれば、１／２星評価の増加を獲得し、２５０人がプレイリストを７５％の賛成で評価すれば、１星評価の増加を獲得し、５００人がプレイリストを８０％の賛成で評価すれば、１と１／２星評価の増加を獲得し、および、１０００人以上がプレイリストを８５％の賛成で評価すれば、２星評価の増加を獲得する。
【００８０】
メンバーは、個人のプレイリストを作成した。
【００８１】
強力なファン−メンバーは、あるアーティストの全てのメディアを所有する。
【００８２】
ジャンルの熱狂的なファン−メンバーは、あるジャンル（映画または音楽）に関する最低数のメディアを所有する。
【００８３】
メンバーは、自分の全メディアコレクションを評価した。
【００８４】
オーディオファン−メンバーは、最低数の音楽メディアファイルを所有する。例えば、５０の歌を所有または購入するメンバーは、音楽愛好賞が授与され、１００の歌を所有または購入するメンバーは、音楽熱狂賞が授与され、２５０の歌を所有または購入するメンバーは、オーディオファン賞が授与され、および５００の歌を所有または購入するメンバーは、音楽は我が人生賞が授与される。
【００８５】
映画ファン−メンバーは、最低数の映画／ＴＶメディアファイルを所有する。例えば、２５の映画を所有または購入するメンバーは、映画愛好賞が授与され、５０の映画を所有または購入するメンバーは、映画熱狂賞が授与され、１００の映画を所有または購入するメンバーは、映画ファン賞が授与され、および２５０の映画を所有または購入するメンバーは、映画は我が人生賞が授与される。
【００８６】
音楽評論家−メンバーは、音楽メディアファイルの最低数のレビューを書いた。
【００８７】
映画評論家−メンバーは、映画メディアファイルの最低数のレビューを書いた。
【００８８】
最低数の人が、独立系放送番組供給を使用してメディアファイルのメンバーのインターネット放送（オーディオおよび／またはビデオ）に申し込んだ。
【００８９】
コミュニティの優良な市民−最低数の人が、メンバーと共有したメディアを購入した、またはメンバーが書いたレビューにより購入した。
【００９０】
メンバーは、メディアコミュニティのフォーラムに掲載した。
【００９１】
メンバーは、最低時間数のメディアファイルを見た／聴いた。
【図１】
2010507144.tif 000003
【図２】
2010507144.tif 000004
【図３】
2010507144.tif 000005
【図４】
2010507144.tif 000006
【図５】
2010507144.tif 000007
【図６】
2010507144.tif 000008
【国際調査報告】
2010507144.tif 000009
2010507144.tif 000010